(57)【要約】【課題】撤去すべきケーブルを簡易な構成で特定でき、運用中のケーブルが切断されることを確実に防ぐことが可能な誤切断防止用挟持切断工具を提供する。【解決手段】一対の挟持半体の交差重合部を回動自在に軸着し、挟持半体の先端部の対向する内側縁に対をなす刃縁を設けて挟持切断部を形成し、この挟持半体の基端部に握持部を設け、この握持部を握持操作することで挟持切断部を閉塞させる挟持切断工具に、略円弧状の対をなすセンサアームで構成されたクランプセンサを設ける。対をなすセンサアームは、操作レバーを操作することで開閉動作させる。挟持半体の軸着部と握持部との間に内側に突設した一対のストッパ突部を設け、このストッパ突部の少なくとも一方に、クランプセンサによって間に配された被切断導線が運用中であることが検出された場合に挟持切断部の刃縁が被切断導線に食い込むことなく互いに離れた状態で維持されるよう挟持半体の動きを規制する作動規制手段を設ける。【選択図】      図３
2014039346.tif 000002
【特許請求の範囲】
【請求項１】
一対の挟持半体の交差重合部を回動自在に軸着し、この軸着部を中心として開閉動作する挟持半体の先端部の対向する内側縁に対をなす刃縁を設けて挟持切断部を形成し、前記一対の挟持半体の基端部に握持部を設け、この握持部を握持操作することで前記挟持切断部を閉塞させるように構成されている挟持切断工具において、
一方の挟持半体の外側面に、略円弧状の対をなすセンサアームで構成され、このセンサアームの先端部同士を突き当てて間に配された被切断導線の電気測定を行うクランプセンサを設け、
前記対をなすセンサアームを、前記握持部またはその近傍に設けられた操作レバーを操作することで開閉動作させ、
前記挟持半体の軸着部と前記握持部との間に内側へ向けて突設した一対のストッパ突部を設け、このストッパ突部の少なくとも一方に、前記クランプセンサにより前記被切断導体が運用中であることが検出された場合に前記一対の挟持半体の先端部に設けた対をなす刃縁が前記被切断導線に食い込むことなく互いに離れた状態で維持されるよう前記挟持半体の動きを規制する作動規制手段を設けたことを特徴とする誤切断防止用挟持切断工具。
【請求項２】
前記作動規制手段は、対をなすストッパ突部の一方から他方のストッパ突部の先端に向かって突出可能なロック部材によって構成され、前記クランプセンサにより前記被切断導線が運用中であることが検知された場合に突出して前記挟持半体の動きを規制することを特徴とする請求項１記載の誤切断防止用挟持切断工具。
【請求項３】
一方のセンサアームの基端部に固定された従動部材と他方のセンサアームの基端部に固定された従動部材の少なくとも一方を、前記操作レバーの基端部に固定された主動部材の動きに伴って従動させるようにしたことを特徴とする請求項１又は２記載の誤切断防止用挟持切断工具。
【請求項４】
請求項１乃至３のいずれかに記載の誤切断防止用挟持切断工具を用いた被切断導線の切断方法であって、
前記一対の挟持半体の握持部を操作して前記挟持切断部を開放させると共に前記対をなすセンサアームを開放させた状態で、被切断導線を対をなす刃縁間及び前記対をなすセンサアーム間に配置させ、
前記操作レバーを操作して前記対をなすセンサアームの先端部同士を突き当てて環状に形成した閉状態を形成し、
しかる後に前記閉状態を維持しつつ、対をなす握持部を操作して前記挟持切断部を閉塞する方向に力を加える切断工程を備えることを特徴とする被切断導線の切断方法。
【請求項５】
前記センサアームを閉状態とした後であり、且つ、前記切断工程の前に、撤去すべき被切断導線の両端部に確認信号を加える確認信号伝達工程を更に備えることを特徴とする請求項４記載の被切断導線の切断方法。
【発明の詳細な説明】
【技術分野】
【０００１】
本発明は、多数の制御ケーブルのうち、撤去すべき制御ケーブル以外の制御ケーブルを誤切断するのを防止するために有効な誤切断防止用挟持切断工具及びこれを用いた被切断導体の切断方法に関する。
【背景技術】
【０００２】
通信制御機器のメンテナンス業務等において、リレーの取替等で旧制御ケーブルを撤去する必要があるが、そのケーブル長は長いため、ケーブルを切断し短くして撤去するようにしている。しかし，制御ケーブルはケーブルを通しているピットに他のケーブルも多数混在しているため，運用中のケーブルを誤切断するというヒューマンエラーが発生する。
【０００３】
このようなヒューマンエラーを無くす手法として、従来、ケーブルカッターの導電材よりなる箇所にケーブルが活線であるか否かを検出する装置を接続し、活線であることを検出した場合に、カッター刃による切断動作を解除する制御装置を接続した安全機能付きケーブルカッター（特許文献１）や、標識信号を発信してその徹去すべき通信ケーブルに伝達させる標識信号発信器と、敷設された複数本の通信ケーブルのうちの何れかの通信ケーブルに取り外し可能に装着される信号検出器と、信号検出器が装着された通信ケーブルからその信号検出器を介して電気信号を受信するとその電気信号が前記標識信号であるか否かを識別し、その電気信号が標識信号である場合に信号検出器が装着された通信ケーブルが徹去すべき通信ケーブルであると確認する標識信号受信器と、標識信号受信器の確認後、信号検出器がその徹去すべき通信ケーブルへの装着状態にある間のみ、通信ケーブルカッターの切断動作を可能にする切断許可信号を発生させてその通信ケーブルカッターへ出力し続ける切断許可信号発生器とを具える通信ケーブルカッター用誤切断防止装置（特許文献２）が提案されている。
【先行技術文献】
【特許文献】
【０００４】
【特許文献１】特開昭６０−２２３４０６号公報
【特許文献２】特開平１１−３３１０４９号公報
【発明の概要】
【発明が解決しようとする課題】
【０００５】
しかしながら、前者の構成においては、切断動作が開始された後に、活線であることを検出した場合、カッター刃による切断動作が解除されるものであるので、本来切断する必要がないケーブル（切断してはならないケーブル）であっても傷つけることになる。また、前者の構成においては、ケーブルが多数敷設されている箇所では、切断しようとしているケーブルが該当のケーブルであるのか否かを予め見定めることは困難である。
【０００６】
この点、後者の構成においては、標識信号を撤去すべきケーブルに伝達させ、このケーブルに装着された信号検出器で標識信号を受信した場合にのみケーブルカッターの切断動作が可能となるので、切断しようとしているケーブルが該当のケーブルであるのか否かを予め見定めることは可能であるが、電気信号を検出する位置検出器（クランプ式誘導コイル）の他に、位置検出器を介して受信した電気信号が標識信号であるのかどうかを識別する標識信号受信器や切断許可信号を発生させる切断許可信号発生器が必要となり、装置として構造が複雑化する不都合がある。
【０００７】
しかも、後者の構成においては、ケーブルに信号を伝達させ、この伝達された信号を識別することを基本としているので、運用中のケーブルに伝達される信号と十分に識別できるものでなければ、標識信号受信器が誤動作をし、撤去すべきでないケーブルを誤って切断可能な状態にしてしまう不都合もある。
【０００８】
さらに、後者の構成においては、撤去するケーブルを特定するために、撤去すべきケーブルにアースを取る必要があるので、間違って切断対象でないケーブルを接地してしまうと、地絡させてしまう不都合もある。
【０００９】
本発明は、係る事情に鑑みてなされたものであり、撤去すべきケーブルを簡易な構成で特定でき、運用中のケーブルが切断されることを確実に防ぐことが可能な誤切断防止用挟持切断工具を提供し、また、これを用いて切断すべき被切断導体を確実に切断することが可能な被切断導体の切断方法を提供することを主たる課題としている。
【課題を解決するための手段】
【００１０】
上記課題を達成するために、本発明に係る誤切断防止用挟持切断工具は、一対の挟持半体の交差重合部を回動自在に軸着し、この軸着部を中心として開閉動作する挟持半体の先端部の対向する内側縁に対をなす刃縁を設けて挟持切断部を形成し、前記一対の挟持半体の基端部に握持部を設け、この握持部を握持操作することで前記挟持切断部を閉塞させるように構成されており、一方の挟持半体の外側面に、略円弧状の対をなすセンサアームで構成され、このセンサアームの先端部同士を突き当てて間に配された被切断導線の電気測定を行うクランプセンサを設け、前記対をなすセンサアームを、前記握持部またはその近傍に設けられた操作レバーを操作することで開閉動作させ、前記挟持半体の軸着部と前記握持部との間に内側へ向けて突設した一対のストッパ突部を設け、このストッパ突部の少なくとも一方に、前記クランプセンサにより前記被切断導体が運用中であることが検出された場合に前記一対の挟持半体の先端部に設けた対をなす刃縁が前記被切断導線に食い込むことなく互いに離れた状態で維持されるよう前記挟持半体の動きを規制する作動規制手段を設けたことを特徴としている。
【００１１】
したがって、切断しようとしている被切断導線に挟持切断工具を近づけ、対をなすセンサアームの間に被切断導線が位置するように挟持切断工具の位置を調節し、その状態で操作レバーを操作して対をなすセンサアームの先端部同士を突き当てると、クランプセンサにより被切断導線が運用中であるかどうかが検出され、被切断導線が運用中であることが検出された場合には、挟持半体の軸着部と握持部との間に内側に向けて突設した一対のストッパ突部の少なくとも一方に設けられた作動規制手段により、対をなす刃縁が被切断導線に食い込むことなく互いに離れた状態で維持されることとなる。
このため、作業者は、挟持切断工具の一対の挟持半体の握持部を握持操作しようとしても刃縁を動かすことができなくなるので、電気信号が流れている運用中のケーブルを誤って切断する不都合がなくなる。
【００１２】
ここで、作動規制手段は、対をなすストッパ突部の一方から他方のストッパ突部の先端に向かって突出可能なロック部材によって構成され、前記クランプセンサにより前記被切断導線が運用中であることが検知された場合に突出して前記挟持半体の動きを規制するようにしてもよい。
また、操作レバーを操作することでセンサアームを開閉動作させる機構としては、例えば、一方のセンサアームの基端部に固定された従動部材と他方のセンサアームの基端部に固定された従動部材の少なくとも一方を、前記操作レバーの基端部に固定された主動部材の動きに伴って従動させるようにしてもよい。
【００１３】
以上の誤切断防止用挟持切断工具を用いて被切断導線を切断する方法としては、前記挟持切断工具の握持部を操作して前記挟持切断部を開放させると共に前記対をなすセンサアームを開放させた状態で、被切断導線を対をなす刃縁間及び前記対をなすセンサアーム間に配置させ、前記操作レバーを操作して前記対をなすセンサアームの先端部同士を突き当てて環状に形成した閉状態を形成し、しかる後に前記閉状態を維持しつつ、対をなす握持部を操作して前記挟持切断部を閉塞する方向に力を加える切断工程を備えるようにするとよい。
【００１４】
このような方法を採用すれば、切断すべき被切断導体が運用中である限り、握持部を操作しても作動規制手段により挟持半体の動きが規制され、対をなす刃縁が被切断導線に食い込むことなく、互いに離れた状態で維持されることとなり、クランプセンサで運用中であることが検出されなかった場合に作動規制手段による規制が解除されて挟持半体の動きが許容され、対をなす刃縁を近接重合させて（挟持切断部を閉塞させて）被切断導体を切断することが可能となる。
【００１５】
なお、多数の導体（ケーブル）がある場合には、クランプセンサで運用中であることが検出されなかった場合でも、必ずしも撤去すべき対象であるとは限らない場合もあることから、切断すべき被切断導体をより正確に特定するために、前記センサアームを閉状態とした後であり、且つ、前記切断工程の前に、撤去すべき被切断導線の両端部に確認信号を加える確認信号伝達工程を更に備えるようにするとよい。
このような構成によれば、被切断導体を接地する必要がないので、確認信号を伝達しようとしている導体を誤った場合でもその導体を地絡させる不都合がなくなる。
【発明の効果】
【００１６】
以上述べたように、本発明に係る誤切断防止用挟持切断工具によれば、先端部に刃縁を有する一対の挟持半体の一方の外側面に、略円弧状の対をなすセンサアームにより構成されて操作レバーを操作することで開閉動作するクランプセンサを設け、また、挟持半体の軸着部と握持部との間に内側に向けて突設した一対のストッパ突部の少なくとも一方に、クランプセンサにより被切断導体が運用中であることを検出した場合に対をなす刃縁が被切断導線に食い込むことなく互いに離れた状態で維持されるよう挟持半体の動きを規制する作動規制手段を設けたので、撤去すべきケーブルと誤って運用中のケーブルを切断しようとしても、作動規制手段により挟持半体の動きが規制されて切断する動作が行なえなくなり、簡易な構成にて運用中のケーブルが切断されることを確実に防ぐことが可能となる。
【図面の簡単な説明】
【００１７】
【図１】図１は、本発明に係るケーブルカッターを示す正面図であり、対をなすセンサアームを開いた状態で対をなす挟持半体を閉じた状態を示す図である。
【図２】図２は、本発明に係るケーブルカッターを示す正面図であり、対をなすセンサアームと対をなす挟持半体を開いた状態を示す図である。
【図３】図３は、本発明に係るケーブルカッターを示す正面図であり、挟持半体を開いた状態で操作レバーを操作してセンサアームを閉じた状態を示す図である。
【図４】図４は、本発明に係るケーブルカッターの作動規制手段を作動させる回路構成図である。
【図５】図５は、図３に示す状態において、切断しようとするケーブルに確認信号を伝達する操作を説明する説明図である。
【発明を実施するための形態】
【００１８】
以下、本発明に係る誤切断防止機能を備えた挟持切断工具としてのケーブルカッターについて、図面を参照しながら説明する。
【００１９】
図１及び図２において、ケーブルカッター１は、一対の挟持半体１Ａ、１Ｂを互いの交差重合部で軸着して構成されたカッター本体２と、このカッター本体２に一体化され、切断しようとするケーブルが運用中であるかどうかを検知するクランプセンサ３とを有して構成されている。
【００２０】
カッター本体２は、軸着部４を介して開閉作動する挟持半体１Ａ・１Ｂの先端部に、対向する内側縁に刃縁５ａ，５ｂを設けて挟持切断部５が形成され、また、この挟持半体１Ａ・１Ｂの基端部に、対をなす握持部７ａ，７ｂが設けられ、この握持部７ａ，７ｂを握持操作することで挟持切断部５を閉塞し得るように構成されている。
【００２１】
各挟持半体１Ａ・１Ｂの軸着部４と握持部７ａ，７ｂとの間に位置する内側縁には、互いに内側に向けて突設したストッパ突部８ａ，８ｂが形成され、このストッパ突部８ａ，８ｂの先端同士を突き合わせ当接させることにより握持部７ａ，７ｂを握持し過ぎて挟持半体１Ａ・１Ｂの刃縁同士が必要以上に重合することを防止するようにしている。
【００２２】
クランプセンサ３は、一方の挟持半体１Ａの交差重合部の外側面（一方の挟持半体１Ａの他方の挟持半体１Ｂが重なり合う側と反対側の側面）に、略円弧状の対をなすセンサアーム１０ａ，１０ｂと、これらセンサアーム１０ａ，１０ｂを駆動させる駆動力を付与する操作レバー１１と、操作レバー１１の動きを対をなすセンサアーム１０ａ、１０ｂに伝達するクランプ開閉機構１２を収容した開閉機構収容ボックス１３とが固定されている。
【００２３】
対をなすセンサアーム１０ａ，１０ｂは、その先端部同士を突き当てて環状に形成された閉状態に形成された場合に、この対をなすセンサアーム間を配置させた被切断導線（ケーブル）２０が運用中であるかどうかを検出するもので、絶縁性樹脂で形成された円弧状のケース内に、図示しない円弧状に形成されたコア材に巻線を付設した磁気コアを収容して構成されており、両センサアーム１０ａ，１０ｂを閉状態とした場合に、両磁気コアの端部同士を結合させて略環状の磁気回路を形成し、被切断導線に流れる信号の有無を電気的接触を行うことなく検出できるようにしたものである。
【００２４】
対をなすセンサアーム１０ａ，１０ｂを開閉させるクランプ開閉機構１２について説明すると、それぞれのセンサアーム１０ａ，１０ｂの基端には、互いに噛合する第１及び第２の歯車１５ａ，１５ｂが固定されている。対をなすセンサアーム１０ａ，１０ｂは、同一平面上をそれぞれの歯車１５ａ，１５ｂの回転軸を中心として回動するようになっており、同時に離反する方向に回動し、また、同時に近接する方向に回動するようになっている。
【００２５】
また、第１の歯車１５ａの握持部側の部分には、この歯車と噛合する第３の歯車１５ｃが回転自在に設けられ、この第３の歯車１５ｃの回転軸には、径方向へ延設された操作レバー１１が固装されている。したがって、この操作レバー１１を第３の歯車１５ｃの回転軸を中心として回動させれば、第３の歯車１５ｃがこれに伴って回動し、これに噛合する第１の歯車１５ａが回動すると共にこの第１の歯車１５ａに噛合する第２の歯車１５ｂが連動するようになっている。この例においては、図３に示されるように、操作レバー１１を握持部側へ近接するように回動させることで（図中、下方へ回動させることで）、対をなすセンサアーム１０ａ，１０ｂが閉じる方向へ回動するようになっている。
【００２６】
なお、操作レバー１１は、第３の歯車１５ｃの回転軸に外装されたスプリング１７により、常時握持部７ａから遠ざかる方向へ付勢されている。したがって、センサアーム１０ａ，１０ｂは、通常においては、図１や図２に示されるように、スプリング１７のバネ力により握持部７ａから離れるように側方に突出した状態であり、一対のセンサアーム１０ａ，１０ｂは、開いた状態にある。
【００２７】
また、この例においては、一方のストッパ突部８ｂに他方のストッパ突部８ａの先端に向かって突出したり、ストッパ突部８ａから離れるように後退したりするロック部材２１が内装されている。このロック部材２１は、ソレノイドにより駆動させて進退されるもので、クランプセンサ３による検出結果に応じて動作するようになっている。
すなわち、クランプセンサ３の対をなすセンサアーム１０ａ，１０ｂは、互いの先端部が当接して環状になると、その間に配置されたケーブル２０に電流が流れている場合にはクランプセンサ３に誘導電流が形成されることから、図４に示されるように、これをリレーのコイル２２へ流す第１の回路と、前記ロック部材２１を駆動させるソレノイド２３と、ソレノイド動作用の電源２４と、操作レバー１１の操作によりＯＮ／ＯＦＦするレバースイッチ２５とを前記リレーの接点２６と共に直列に接続する第２の回路とを形成し、操作レバー１１が押されてレバースイッチ２５が閉成し、且つ、クランプセンサ３によりケーブル２０が運用中であることが検知されてリレーのコイル２２に電流が流れ、これによりリレーの接点２６が閉成した場合に、ソレノイド２３にソレノイド動作用電源２４から電力が供給され、ロック部材２１が突出するようになっている。
【００２８】
ストッパ突部８ａ，８ｂは、図１に示されるように、挟持切断部５が互いに重なった状態において当接するように形成されているが、ロック部材２１が突出した状態においては、挟持切断部５が互いに重なり合う前、特に挟持切断部５の対をなす刃縁５ａ，５ｂがケーブル２０の被覆に食い込まない程度に間隔を残した状態でそれ以上に接近しないように、突出したロック部材２１が他方のストッパ突部８ａの先端と当接するようになっている。
【００２９】
したがって、挟持半体１Ａ・１Ｂ、即ち、挟持切断部５は、操作レバー１１を操作してレバースイッチ２５が閉成された状態となり、且つ、クランプセンサ３のセンサアーム１０ａ，１０ｂ間に配置されたケーブル２０が運用中であることが検出されてリレーの接点２６が閉成された状態となった場合に、ソレノイド２３が動作してロック部材２１が突出することで閉じようとする動きが規制されるようになっている。
【００３０】
また、操作レバー１１を離して、レバースイッチ２５が開成された場合、または、クランプセンサ３のセンサアーム１０ａ，１０ｂ間を挿通するケーブル２０が運用中であることが検出されなかった場合には、ソレノイド２３に通電されないので、ロック部材２１が後退して対をなす挟持半体１Ａ・１Ｂ、即ち、挟持切断部５の閉じようとする動きの規制が解除され、挟持半体１Ａ，１Ｂを握持操作してケーブル２０を切断できるようになっている。
【００３１】
以上の構成において、次に、ケーブルを切断する手順を説明すると、先ず、ケーブルカッター１の握持部７ａ，７ｂを操作して挟持切断部５を開放させると共に対をなすセンサアーム１０ａ，１０ｂを開放させ、この状態を維持しつつ切断対象とするケーブル２０に近づけ（図２）、ケーブルを対をなす刃縁間及び対をなすセンサアーム間に配置させる。
そして、この状態において、操作レバー１１を操作して対をなすセンサアーム１０ａ，１０ｂの先端部同士を突き当てて環状に形成した閉状態を形成する。
【００３２】
その後、閉状態を維持しつつ、対をなす握持部７ａ，７ｂを近接させるように操作して、挟持切断部５を閉塞する方向に力を加える。
この際、切断しようとしているケーブル２０が運用中であれば、ロック部材２１が突出し（図３参照）、握持部７ａ，７ｂを握持して閉じようとしても、ロック部材２１がストッパ突部８ａの先端に当接して握持部７ａ，７ｂの閉じようとする動きが規制されるので、挟持切断部５が十分に開いた状態で閉塞されることがなく、対をなす刃縁間に配置されたケーブル２０を傷つけることがなくなる。
【００３３】
これに対して、切断しようとしているケーブル２０が運用中でなければ、ロック部材２１は後退し、握持部７ａ、７ｂの操作で挟持切断部５が閉塞可能となる。この段階においては、切断しようとしているケーブル２０が運用中でないことを確認しただけであり、切断対象のケーブルであるのか不明である場合もあるので、図５に示されるように、切断対象のケーブルの両端に断続的に電圧を加え（撤去すべき被切断導線の両端部に確認信号を加え）、それによってクランプセンサ３が小刻みに動く（小刻みに開閉する）ことを確認した上で握持部７ａ、７ｂを握持操作してケーブル２０を切断する。
【００３４】
したがって、このような構成によれば、クランプセンサ３による誤認防止機能を備えたケーブルカッター１を用いてケーブル２０の切断作業を行うので、撤去すべきケーブル２０を簡易な構成で特定でき、運用中のケーブルが切断されることを確実に防ぎ、切断すべきケーブルを確実に切断することが可能となる。また、従来のようにケーブルを接地する必要がないので、確認信号を伝達しようとしている導体を誤った場合でも、その導体を地絡させる不都合もなくなる。
【００３５】
なお、上述の構成においては、ロック部材２１が一方のストッパ突部８ｂに設けられた例を示したが、他方のストッパ突部８ａに設けて、突出時に一方のストッパ突部８ｂの先端に当接させるようにしても、両ストッパ突部８ａ，８ｂのそれぞれにロック部材を設け、ロック部材の突出時にそれぞれのロック部材の先端同士を当接させるようにしてもよい。
また、上述の構成においては、操作レバー１１を握持部７ａの近傍に設けた例を示したが、握持部７ａ，７ｂの一方に組み込むように設けるようにしてもよい。
【符号の説明】
【００３６】
１  ケーブルカッター
１Ａ，１Ｂ  挟持半体
３  クランプセンサ
４  軸着部
５  挟持切断部
５ａ，５ｂ  刃縁
７ａ，７ｂ  握持部
８ａ，８ｂ  ストッパ突部
１０ａ，１０ｂ  センサアーム
１１  操作レバー
【図１】
2014039346.tif 000003
【図２】
2014039346.tif 000004
【図３】
2014039346.tif 000005
【図４】
2014039346.tif 000006
【図５】
2014039346.tif 000007